(57)【特許請求の範囲】
【請求項１】
構築すべき大屋根をブロック屋根単位別に地組する工程と、
前記ブロック屋根単位を、互いに離間した柱等の支持部材とこれら支持部材の間に設置したベント構台上に架設する工程と、
前記ブロック屋根単位の下面中央部に連結した束材の下端部と当該ブロック屋根単位の両端部との間にケーブルを張設するとともに、前記ベント構台を解体して前記ブロック屋根単位の下方変位により前記束材を介して前記ケーブルに第１段階の張力を導入していく工程と、
前記ブロック屋根単位に大屋根構成部材を配設していき、この大屋根構成部材により自重が増大した前記ブロック屋根単位がさらに下方に変位することで、前記束材を介してケーブルに前記第１段階の張力より大きな設計張力を導入していく工程と、を備えたことを特徴とするベント工法による大屋根の構築方法。
【発明の詳細な説明】
【０００１】
【発明の属する技術分野】
この発明は、ベント工法による大屋根の構築方法に関する。
【０００２】
【従来の技術】
従来、ドーム状またはリング状の大屋根を構築していく場合の代表的な建て方工法として、図４から図６に示すベント工法が知られている。
この工法は、先ず、構築すべき大屋根をブロック屋根単位（以下、ブロック屋根と称する。）別に地組する。次いで、図４に示すように、ブロック屋根２を、互いに離間した柱等の支持部材４と、これら支持部材４の間に設置したベント構台６上に架設する。ここで、ベント構台６上にはジャッキ８が配置されており、このジャッキ８上にブロック屋根２の一部が載置されちる。なお、ブロック屋根２の中央下部に連結している符号１０の部材は、ケーブル張力時に使用する束材である。
【０００３】
次いで、図５に示すように、ベント構台６上のジャッキ８のアップ動作を行ってベント反力を確認する。
次いで、図６に示すように、束材１０の下端部とブロック屋根２の両端部との間にケーブル１２を張設し、ジャッキ８のダウン動作を所定量行うと同時に、図示しない緊張ジャッキ等の装置を使用してケーブル１２に張力を導入していく。この際、ジャッキ８のダウン動作を複数ステップに分け、ケーブル１２の緊張動作も同様に複数ステップに分けて作業を行い、最終的に所定の設計張力ＴS となるように徐々にジャッキ８のダウン動作、ケーブル１２の緊張動作を行っていく。
【０００４】
【発明が解決しようとする課題】
しかし、上述した工法は、各ベント構台６にジャッキ８を配置し、しかも、各ジャッキ８は大型の装置を使用しなければならないので、構築費用が増大するおそれがある。
また、ジャッキ８のダウン動作と、ケーブル１２の緊張動作を連動させて複数ステップ行わなければならないので、構築途中のジャッキダウン管理、ケーブル１２の張力管理が複雑となってしまうとともに、ベント構台６を設置しておく期間が長いので、大屋根の下部の躯体工事に支障をきたしてしまい施工性の面で問題がある。
【０００５】
本発明は上記事情に鑑みてなされたものであり、ベント構台頂部にジャッキを全くあるいはほとんど必要としない経済性、施工性に優れた合理的なベント工法による大屋根の構築方法を提供することを目的としている。
【０００６】
【課題を解決するための手段】
上記課題を解決するために、本発明のベント工法による大屋根の構築方法は、構築すべき大屋根をブロック屋根単位別に地組する工程と、前記ブロック屋根単位を、互いに離間した柱等の支持部材とこれら支持部材の間に設置したベント構台上に架設する工程と、前記ブロック屋根単位の下面中央部に連結した束材の下端部と当該ブロック屋根単位の両端部との間にケーブルを張設するとともに、前記ベント構台を解体して前記ブロック屋根単位の下方変位により前記束材を介して前記ケーブルに第１段階の張力を導入していく工程と、前記ブロック屋根単位に大屋根構成部材を配設していき、この大屋根構成部材により自重が増大した前記ブロック屋根単位がさらに下方に変位することで、前記束材を介してケーブルに前記第１段階の張力より大きな設計張力を導入していく工程とを備えた方法である。
【０００７】
【発明の実施の形態】
以下、本発明に係るベント工法による大屋根の構築方法の１実施形態について図面を参照して説明する。なお、図４から図６に示した従来の施工方法と同一構成部分には、同一符号を付してその説明を省略する。
本実施形態においても、先ず、構築すべき大屋根をブロック屋根単位（以下、ブロック屋根と称する。）別に地組する。
【０００８】
次いで、図１に示すように、ブロック屋根２を、互いに離間した柱等の支持部材４と、これら支持部材４の間に設置したベント構台６上に架設する。ここで、ベント構台６上には、ブロック屋根２の高さを僅かに調整できるような小型のジャッキ１４が配置されている。
次いで、図２に示すように、束材１０の下端部とブロック屋根２の両端部との間にケーブル１２を張設するとともに、ブロック屋根２を支持していたベント構台６を解体していく。これにより、ブロック屋根２全体が下方に移動し、それとともに束材１０が下方移動するので、自動的にケーブル１２に第１段階の張力Ｔ1 が導入される。この第１段階の張力Ｔ1 は、最終的に導入する設計張力ＴS より小さな値である（Ｔ1 ＜ＴS ）。
【０００９】
次いで、図３に示すように、ブロック屋根２の上部に屋根仕上げ材１６を敷設していく。この屋根仕上げ材１６を敷設することによってブロック屋根２の自重が増大し、それにより束材１０がさらに下方移動するので、このとき、ケーブル１２に設計張力ＴS が導入される。なお、前記屋根仕上げ材１６が、本発明の大屋根構成部材に相当する。
【００１０】
このように、本実施形態では、各ベント構台６に大型のジャッキを配置しなくても大屋根を構築することができ、しかも、従来方法のようにジャッキダウン管理、ケーブル張力管理を行う必要が無いので、機材、人件費を削減した経済性に優れた方法を提供することができる。
また、ブロック屋根２及び屋根仕上げ材１６の荷重を利用してケーブル１２に張力を導入しているので、従来方法と比較して簡便な大屋根の構築方法となる。
【００１１】
さらに、図３に示すように、ブロック屋根２を支持しているベント構台６は早期に解体され、大屋根の構築と並行して下部躯体１８の施工を行うことができるので、工期を大幅に短縮することができる。
なお、本発明の大屋根構成部材は、前述した屋根仕上げ材１６に限るものではなく、例えば、屋根補強部材や、内部照明設備等のブロック屋根２の自重が増大する部材であればよい。
【００１２】
【発明の効果】
以上説明したように、本発明のベント工法による大屋根の構築方法によると、各ベント構台に大型のジャッキを配置しなくても大屋根を構築することができ、しかも、従来方法のようにジャッキダウン管理、ケーブル張力管理を行う必要が無いので、機材、人件費を削減した経済性に優れた方法を提供することができる。
【００１３】
また、ブロック屋根単位及び大屋根構成部材の荷重を利用してケーブルに張力を導入しているので、従来方法と比較して簡便な大屋根の構築方法となる。
さらに、ブロック屋根単位を支持しているベント構台は早期に解体され、大屋根の構築と並行して下部躯体工事を行うことができるので、工期を大幅に短縮することができる。
【図面の簡単な説明】
【図１】本発明において柱等の支持部材とこれら支持部材の間に設置したベント構台上にブロック屋根単位を架設した状態を示す図である。
【図２】ベント構台を解体してケーブルに第１段階の張力を導入した状態を示す図である。
【図３】ブロック屋根単位に大屋根構成部材を配設してケーブルに設計張力を導入した状態を示す図である。
【図４】従来の大屋根の構築方法において大型のジャッキを備えたベント構台上にブロック屋根単位を架設した状態を示す図である。
【図５】従来の大屋根の構築方法においてジャッキのアップ動作を行っている状態を示す図である。
【図６】従来の大屋根の構築方法においてジャッキのダウン動作とケーブルの張力導入操作を同時に行っている状態を示す図である。
【符号の説明】
２    ブロック屋根（ブロック屋根単位）
４    支持部材
６    ベント構台
１０  束材
１２  ケーブル
１６  屋根仕上げ材（大屋根構成部材）
Ｔ1   第１段階の張力
ＴS   設計張力
【図１】
0004036275.tif 000002
【図２】
0004036275.tif 000003
【図３】
0004036275.tif 000004
【図４】
0004036275.tif 000005
【図５】
0004036275.tif 000006
【図６】
0004036275.tif 000007